(57)【特許請求の範囲】
【請求項１】
商用電源電力から各種電源電力を生成する電源手段と、
商用電源電力のオン／オフを指示操作する電源操作手段と、
商用電源電力の前記電源手段への供給／供給遮断を行うスイッチ手段と、
駆動電流が通電されることで、前記スイッチ手段を電源電力の供給遮断状態に移行させるコイルと、
前記コイル近傍の温度を検出する温度検出手段と、
前記電源操作手段がオフ操作されると、前記温度検出手段の検出する前記コイル近傍の温度に基づいて該コイルへの通電時間を求めて、所定のシャットダウン時間経過後に、該コイルに該通電時間だけ駆動電流を流して前記スイッチ手段を電力供給遮断状態へ移行させる制御手段と、
を備えていることを特徴とする電源制御装置。
【請求項２】
前記電源制御装置は、
前記スイッチ手段を電力供給遮断状態とするために前記コイルへ通電した総通電時間を記憶する記憶手段を備え、
前記制御手段は、
前記電源操作手段がオフ操作されたことを検出すると、前記記憶手段の前記総通電時間に基づいて前記コイルへの通電時間を求めて、前記シャットダウン時間経過後に、該コイルに該通電時間だけ駆動電流を流して、前記スイッチ手段を電力供給遮断状態へ移行させるとともに、該通電時間を該記憶手段の該総通電時間に加算することを特徴とする請求項１記載の電源制御装置。
【請求項３】
前記電源制御装置は、
現在時刻を計時する計時手段と、
前記駆動電流によって前記スイッチ手段が供給遮断状態へ移行した時刻をオフ時刻として記憶するオフ時刻記憶手段と、
を備え、
前記制御手段は、
前記電源操作手段のオフ操作を検出すると、前記計時手段から現在時刻を取得して、前記オフ時刻記憶手段の前回のオフ時刻からの経過時間を求めて、該経過時間が所定の閾値時間以上経過していることを条件として、前記コイルに駆動電流を流すとともに、該オフ時刻を該オフ時刻記憶手段に記憶させることを特徴とする請求項１または請求項２記載の電源制御装置。
【請求項４】
前記電源制御装置は、
前記コイルに冷風を送る冷却手段と、
前記温度検出手段の検出する前記コイル近傍の温度が所定の冷却開始温度以上であると、前記冷却手段を駆動させる冷却制御手段と、
を備えていることを特徴とする請求項１から請求項３のいずれかに記載の電源制御装置。
【請求項５】
前記電源制御装置は、
所定の通知手段と、
予め設定されている前記コイルの許容総通電時間を記憶する許容総通電時間記憶手段と、
前記コイルに通電した総通電時間を記憶する総通電時間記憶手段と、
前記総通電時間と前記許容総通電時間に基づいて前記コイルの寿命を判定して、該判定結果を前記通知手段から通知させる寿命判定手段と、
を備えていることを特徴とする請求項１から請求項４のいずれかに記載の電源制御装置。
【請求項６】
請求項１から請求項５のいずれかに記載の電源制御装置を備えていることを特徴とする画像形成装置。
【請求項７】
商用電源電力から各種電源電力を生成する電源処理ステップと、
コイルへの駆動電流の通電停止／通電によって、商用電源電力の前記電源処理ステップへの供給／供給遮断を行うスイッチ処理ステップと、
前記コイル近傍の温度を検出する温度検出処理ステップと、
商用電源電力のオフ指示があると、前記温度検出処理ステップで検出される前記コイル近傍の温度に基づいて該コイルへの通電時間を求めて、所定のシャットダウン時間経過後に、該コイルに該通電時間だけ駆動電流を流して前記スイッチ処理ステップによって電力供給遮断状態へ移行させる制御処理ステップと、
を有していることを特徴とする電源制御方法。
【請求項８】
コンピュータに、
商用電源電力から各種電源電力を生成する電源処理と、
コイルへの駆動電流の通電停止／通電によって、商用電源電力の前記電源処理への供給／供給遮断を行うスイッチ処理と、
前記コイル近傍の温度を検出する温度検出処理と、
商用電源電力のオフ指示があると、前記温度検出処理で検出される前記コイル近傍の温度に基づいて該コイルへの通電時間を求めて、所定のシャットダウン時間経過後に、該コイルに該通電時間だけ駆動電流を流して前記スイッチ処理によって電力供給遮断状態へ移行させる制御処理と、
を実行させることを特徴とする電源制御プログラム。
【請求項９】
請求項８記載の電源制御プログラムを記録したことを特徴とするコンピュータが読み取り可能な記録媒体。
【発明の詳細な説明】
【技術分野】
【０００１】
本発明は、電源制御装置、画像形成装置、電源制御方法、電源制御プログラム及び記録媒体に関し、詳細には、シャットダウン時間を適切に確保しつつ、電源電力の供給／供給遮断を行うスイッチを駆動するコイルへの通電時間を適切化してコイルを適切に保護する電源制御装置、画像形成装置、電源制御方法、電源制御プログラム及び記録媒体に関する。
【背景技術】
【０００２】
コンピュータ、プリンタ装置、複写装置、複合装置等の画像処理装置や画像形成装置においては、商用電源のコンセントに挿入される電源プラグと装置の電源部との間に電源スイッチが配設されており、電源スイッチとしては、一般的に、ロッカースイッチが用いられている。電源部は、ＡＣ（交流）のＤＣ（直流）への変換、電圧変換、整流等の処理を行なって、画像処理装置や画像形成装置の各部に供給する。
【０００３】
ところが、画像処理装置や画像形成装置においては、各種処理、特に、画像処理の実行中に、電源スイッチがオフ操作されたときに、電源スイッチのオフ操作と同時に、電源部から装置内部に供給している電源電力の供給を遮断すると、故障を引き起こしたり、画像データ等の各種データの破損を招くおそれがある。例えば、装置は、メモリへデータを書き込み中に、誤操作等によって電源スイッチがオフ操作されると、メモリ上のデータの破損、メモリデバイス自体の破損等を招くおそれがある。
【０００４】
そこで、従来から、画像処理装置や画像形成装置は、電源スイッチがオフ操作されても、すぐに装置内部への電力供給をオフにせずに、メモリへのデータの書き込みや読み取り動作の適切な停止処理等の種々の保護処理を行った後に、電力の供給をオフにするシャットダウン機能を備えており、このシャットダウン機能を、電源プラグと電源部との間にコイルによってリレーを動作させてリレー端子接点を開閉させる電源スイッチを配設することで行っている。すなわち、電源スイッチは、該電源スイッチのオフ操作を検出すると、コイルへの通電を制御して、電源プラグと電源部との間に配設されているリレーをコイルによって動作させてリレー端子接点を閉じさせ、シャットダウン処理が完了する所定時間が経過した後に、電源プラグから電源部への電源電力の供給を遮断して、電源部から装置各部への電源電力の供給を遮断する。
【０００５】
そして、従来のコイルによってリレー端子を動作させる電源スイッチは、電源スイッチがオフ操作されると、コイルに所定時間駆動電流を流して、リレー端子を接点に接続させて商用電源を電源部に供給させ、所定時間経過すると、コイルへの通電を停止して、リレー端子を開放させて商用電源の電源部への供給を遮断する。
【０００６】
一方、近年、画像処理装置や画像形成装置においては、省エネルギー化やエコロジーの要望が大きく、待機状態において、所定の待ち時間が経過すると、メモリ等の主要各部への電源電力の供給を停止または削減する省電力モードを実行するとともに、このような省電力モードを実行する際に、電源電力がオフされた時刻をメモリに記憶したり、メモリに記憶されている電源電力のオフに関する時刻を通知する機能を備えている。
【０００７】
そして、このような省電力モードを備えた画像処理装置や画像形成装置は、動作中や待機状態においては、コイルによってリレー端子を動作させる電源スイッチのコイルに通電を行なって、シャットダウン期間の誤った電源スイッチオフ操作による故障やデータの破損を防止するとともに、省電力モードにおいては、コイルへの通電を遮断して、消費電力の削減を行なっている。
【０００８】
ところが、省電力モードにおいて、電源スイッチがオフ操作された場合、コイルへの通電が遮断されているため、故障やデータの破損の防止及びメモリへ電源電力のオフ時間を記憶する機能を利用することができず、これらの機能を省電力モードにおいても確保するためには、新たな電源スイッチを用意する必要があり、コストが高くつくとともに、消費電力が増加するという問題があった。
【０００９】
この新たな電源スイッチは、画像処理装置や画像形成装置等の装置の電源電力が供給されている状態では、コイルへの通電を行わず、装置の電源電力をオフさせたいときに、コイルに電流を流して励磁電流によってリレー端子接点をオフさせる構成とする必要がある。このようにすると、省エネモード中に電源スイッチがオフ操作されても、故障やデータの破損を防止することができるとともに、電源ＯＦＦ時刻をメモリに記録する機能を実行することができる。
【発明の概要】
【発明が解決しようとする課題】
【００１０】
しかしながら、上記装置の電源電力が供給されているときにコイルへの通電を停止し、装置の電源電力をオフにさせたいときに、コイルにコイル駆動電流を流して、リレー端子接点をオフさせているため、図７（ａ）、（ｂ）に示すように、コイルにシャットダウン期間だけコイル駆動電流を流して、実際に電源部から負荷側に供給されている電源電力が遮断されるまでには、電源部の特性や負荷側の状態によって、ディレイ期間が発生し、余分な電流がコイルに流れる。すなわち、コイル駆動電流が、図７（ｂ）に示すように、パルス信号ではなく、Ｌｏｗ（ロー）固定のコイル駆動電流であると、図７（ａ）に電源供給停止位置として示すタイミングまでに、図７（ｂ）に有効通電時間Ｘとして示しているシャットダウン期間（シャットダウン機能であるＯＦＦ機能が可能な最低通電時間：有効通電時間）以上の期間の間、コイルにコイル駆動電流が流れ、図７（ｂ）に期間Ｙだけ余分にコイル駆動電流をコイルに流すこととなる。
【００１１】
そして、消費電力が増加するだけでなく、コイルは、図８（ａ）、（ｂ）に示すように、コイルの温度が高くなるほどその寿命が短くなり、コイルにコイル駆動電流が流れている期間が長くなるほどその寿命が短くなる。その結果、コイルの寿命が短くなるとともに、ディレイ期間コイルにコイル駆動電流が流れている分だけ消費電力を余分に消費するという問題があった。
【００１２】
この場合、特許文献１に示すように、複数の出力系統を有し、その出力の一部をオフするスイッチ素子を有して、出力部をオン・オフすることにより、出力部の出力端に接続されている負荷が最小になるように制御して、突入電流を低減し、電源装置及びスイッチ素子の寿命を延ばし故障を低減させる方法を用いてもよいが、上記問題を解決する手段としては、コストが高くつくとともに、コイルの寿命を延ばすことができないという問題がある。
【００１３】
そこで、本発明は、シャットダウン処理を適切に行うとともに、商用電源電力の供給／供給遮断を行うスイッチを駆動させるコイルの温度上昇を抑制して、寿命を延ばすことのできる電源制御装置、画像形成装置、電源制御方法、電源制御プログラム及び記録媒体を提供することを目的としている。
【課題を解決するための手段】
【００１４】
本発明は、上記目的を達成するために、コイルへの駆動電流の通電停止／通電によって、商用電源電力から各種電源電力を生成する電源処理への該商用電源電力の供給／供給遮断を行う場合に、該コイル近傍の温度を検出して、商用電源電力のオフ指示があると、検出された該コイル近傍の温度に基づいて該コイルへの通電時間を求めて、所定のシャットダウン時間経過後に、該コイルに該通電時間だけ駆動電流を流して電力供給遮断状態へ移行することを特徴としている。
【００１５】
また、本発明は、スイッチによって電力供給遮断状態とするために前記コイルへ通電した総通電時間を記憶手段に記憶し、該総通電時間に基づいて前記コイルへの通電時間を求めて、前記シャットダウン時間経過後に、該コイルに該通電時間だけ駆動電流を流して、電力供給遮断状態へ移行するとともに、該通電時間を該記憶手段の該総通電時間に加算することを特徴としてもよい。
【００１６】
さらに、本発明は、商用電源電力のオフ操作時刻をオフ操作時刻記憶手段に記憶し、商用電源電力のオフ操作があると、該オフ操作時刻記憶手段の該オフ操作時刻に基づいて前回オフ操作された時刻からの経過時間を求めて、該経過時間が所定の閾値時間以上経過していることを条件として、前記コイルに励磁電流を流すことを特徴としてもよい。
【００１７】
また、本発明は、前記コイル近傍の温度が所定の冷却開始温度以上であると、前記コイルに冷風を送る冷却手段を駆動させることを特徴としてもよい。
【００１８】
さらに、本発明は、予め設定されている前記コイルの許容総通電時間を許容総通電時間記憶手段に記憶し、該コイルに通電した総通電時間を総通電時間記憶手段に記憶して、該総通電時間と該許容総通電時間に基づいて該コイルの寿命を判定して、該判定結果を通知することを特徴としてもよい。
【発明の効果】
【００１９】
本発明によれば、シャットダウン処理を適切に行うことができるとともに、商用電源電力の供給／供給遮断を行うスイッチを駆動させるコイルの温度上昇を抑制して、寿命を延ばすことができる。
【図面の簡単な説明】
【００２０】
【図１】本発明の一実施例を適用した複合装置の要部ブロック構成図。
【図２】電源ＯＦＦ制御処理を示すフローチャート。
【図３】コイルの寿命判定を伴う電源ＯＦＦ制御処理を示すフローチャート。
【図４】図３の処理の続きの処理を示すフローチャート。
【図５】コイルの寿命判定及び冷却ファンの駆動制御を伴う電源ＯＦＦ制御処理を示すフローチャート。
【図６】図５の続きの処理を示すフローチャート。
【図７】電源部の５Ｖ電源とコイル駆動電流がロー固定とパルスの場合を比較して示すず。
【図８】コイルの寿命と温度及び通電時間との関係を示す図。
【発明を実施するための形態】
【００２１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２２】
図１〜図６は、本発明の電源制御装置、画像形成装置、電源制御方法、電源制御プログラム及び記録媒体の一実施例を示す図であり、図１は、本発明の電源制御装置、画像形成装置、電源制御方法、電源制御プログラム及び記録媒体の一実施例を適用した複合装置１の要部ブロック構成図である。
【００２３】
図１において、複合装置（画像形成装置）１は、スイッチ部２、コントローラ制御部３、電源部４、エンジン制御部５、操作部６及び図示しないスキャナ、プロッタ、給紙部、排紙部等を備えている。
【００２４】
スイッチ部（スイッチ手段）２は、コイル２１、スイッチ端子２２ａ、２２ｂ、冷却部２３及び温度検出部２４等を備えており、コントローラ制御部３は、メインシステム制御部３１、不揮発性メモリ３２、ネットワークＩ／Ｆ３３、サブシステム制御部３４、コントローラ電源生成部３５、データ格納部３６、ＲＴＣ（リアルタイムクロック；Real Time Clock ）３７及び駆動部３８を備えている。
【００２５】
スキャナは、原稿を主走査及び副走査して、原稿の画像を読み取り、プロッタは、スキャナの読み取った原稿の画像データやネットワークＩ／Ｆ３３を介してホストコンピュータから送られてきた画像データに基づいて給紙部から搬送されてくる用紙に画像を形成する。排紙部は、プロッタによって画像の形成された用紙を排紙トレイに排出する。
【００２６】
電源部（電源手段）４は、スイッチ部２のスイッチ端子２２ａに接続されており、スイッチ端子２２ａを介してＡＣ１００Ｖの商用電源電力が供給されると、該ＡＣ１００Ｖの商用電源電力を、ＡＣ／ＤＣ変換、電圧変換、整流等の処理を行なって、エンジン制御部５、スイッチ部２、コントローラ制御部３及び複写装置１のその他の各部に電源電力を供給する。
【００２７】
操作部６は、テンキー、スタートキー、ストップキー、ファンクションキー等の各種操作キーを備えているとともに、表示部（通知手段）を備えており、表示部は、液晶ディスプレイと該液晶ディスプレイに重ねられたタッチパネルで構成されていて、液晶ディスプレイに表示される機能ボタンをタッチ操作することで、ボタン操作が可能なタッチパネル付きディスプレイが用いられている。
【００２８】
エンジン制御部５は、電源部４から電源電力が供給され、スキャナやプロッタの動作をメインシステム制御部３１の制御下で制御する。
【００２９】
スイッチ部２は、ロッカースイッチが用いられており、ロッカースイッチに冷却部２３と温度検出部２４が組み込まれた状態となっている。
【００３０】
スイッチ部２のスイッチ端子（スイッチ手段）２２ａは、商用電源のコンセントに挿入されるプラグ７と電源部４との間に配設されており、コイル２１の励磁力によってオフ／オン動作される。すなわち、スイッチ端子２２ａは、コイル２１に通電されている間だけ、コイル２１の励磁力によってオフ状態となり、コイル２１への通電が遮断されると、コイル２１の励磁力が無くなって、オン状態となる。
【００３１】
スイッチ端子（電源操作手段）２２ｂは、スイッチ部２のオン／オフ操作によってオン／オフ状態になり、一方の端子が、接地されていて、他方の端子がサブシステム制御部３４に接続されている。したがって、スイッチ部２がオフ操作されると、所定の電位がサブシステム制御部３４に発生し、スイッチ部２がオン操作されると、接地電位がサブシステム制御部３４に発生する。
【００３２】
冷却部（冷却手段）２３は、ファン等が用いられており、サブシステム制御部３４からの駆動電流によって駆動されることで、冷風をコイル２１に送る等の方法で、コイル２１を冷却する。
【００３３】
温度検出部（温度検出手段）２４は、温度センサ等が用いられ、スイッチ部２の温度、特に、コイル２１近傍の温度を検出して、サブシステム制御部３４に出力する。
【００３４】
コントローラ制御部３のメインイシム制御部３１は、ＣＰＵ（Central Processing Unit ）、ＲＯＭ（Read Only Memory）、ＲＡＭ（Random Access Memory）等を備えており、ＲＯＭ内のプログラムに基づいて、複合装置１の各部を制御して、複合装置１としての基本動作を実行する。また、サブシステム制御部３４は、ＣＰＵ、ＲＯＭ、ＲＡＭ等を備えており、ＲＯＭ内に、サブシステム制御部３４としての基本プログラム及び後述する本発明の電源制御方法を実行する電源制御プログラムを格納している。
【００３５】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の電源制御方法を実行する電源制御プログラムを読み込んでＲＯＭ等に導入することで、後述するスイッチ部２がオフ操作されたときのシャットダウンを確実に行うとともにコイル２１の劣化を抑制してスイッチ部２の寿命を長寿命化する電源制御方法を実行する画像処理装置を搭載する画像形成装置として構築されている。この電源制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３６】
特に、メインシステム制御部３１は、スイッチ部２がオフ操作されたときのシャットダウン処理、すなわち、処理中の画像データやその他のデータ等の不揮発性メモリ３２への記憶等の電源電力の供給が遮断されても処理中の画像データやその他のデータが消失することや不揮発性メモリ３２の損傷を防止する処理を実行する。
【００３７】
不揮発性メモリ３２は、ハードディスク、ＥＥＰＲＯＭ（Electrically Erasable Programmable Read Only Memory ）等が用いられ、複写装置１の電源電力が遮断されているときにも記憶内容を保持する。不揮発性メモリ３２は、メインシステム制御部３１の制御下で各種データの書き込みや読み出しが行われる。
【００３８】
ネットワークＩ／Ｆ（通知手段）３３には、図示しないホストコンピュータ等の接続されているネットワークが接続され、ネットワークＩ／Ｆ３３は、ネットワークを介してホストコンピュータとの通信を行う。
【００３９】
コントローラ電源生成部３５は、電源部４からの電源電力を受けて、各種電圧の電源電力を生成し、コントローラ制御部３内部の各部に供給する。
【００４０】
ＲＴＣ（計時手段）３７は、発振回路や分周回路等を備え、現在時刻や複写装置１で使用する各種時刻、特に、電源電力の遮断、供給、シャットダウン処理時間等の電源電力関連時刻等を計時する。
【００４１】
データ格納部（オフ操作時刻記憶手段、記憶手段）３６は、サブシステム制御部３４の実行処理で必要な各種データ、特に、ＲＴＣ３７の計時した電源電力関連時刻情報をサブシステム制御部３４の制御下で記憶し、また、読み出される。この電源電力関連時刻情報は、例えば、コイル２０への通電時間、スイッチ端子２２ａを電力供給遮断状態（オフ状態）とするためにコイル２１へ通電した総通電時間、電源ＯＦＦ時刻等である。また、データ格納部３６は、コイル２１の温度毎にコイル２１に通電するパルス幅の登録されている温度テーブルが格納されており、データ格納部３６の温度テーブルは、温度毎にコイル２１に流すコイル駆動電流のパルス幅を調整するパルス幅設定値が設けられている
駆動部３８は、スイッチ部２のコイル２１及びサブシステム制御部３４に接続され、サブシステム制御部３４の制御下で、コイル２１への通電を制御して、スイッチ端子２２ａのオン／オフを制御する。
【００４２】
サブシステム制御部３４は、ＣＰＵがＲＯＭ内のプログラム、特に、電源制御プログラムに基づいて、コントローラ電源生成部３５によるコントローラ制御部３内に供給する電源電力の制御、ＲＴＣ３７の計時する時間情報に基づく各種処理、特に、電源電力関連時刻情報の取得、ＲＴＣ３７から取得した時間情報、特に、電源電力関連時刻情報のデータ格納部３６への格納、データ格納部３６に格納した電源電力関連時刻情報に基づくスイッチ端子２２ａのオン／オフ操作及び温度検出部２４に基づく冷却ファン２３の駆動制御と通電時間の設定に基づく駆動部３８を介したコイル２１の駆動制御及び操作部６からの操作指示に基づく各種処理とメインシステム制御部３１への通知及び操作部６の表示部への各種表示情報の表示制御等の処理を行う。
【００４３】
上記スイッチ部２、コントローラ制御部３（特に、サブシステム制御部３４）及び電源部４は、全体として電源制御装置として機能している。
【００４４】
次に、本実施例の作用について説明する。本実施例の複合装置１は、スイッチ部２のコイル２１の温度上昇を抑制して、スイッチ部２の寿命を延ばしている。
【００４５】
すなわち、スイッチ部２のコイル２１は、図８に示したように、通電時間が長く、また、温度が上昇すると、その寿命が短くなるため、コイル２１への通電時間を短くするとともに、温度上昇を抑制することがコイル２１の寿命を延ばすことになる。
【００４６】
そして、上述のように、コイル２１にシャットダウン処理に必要な期間（以下、適宜、有効通電時間という。）の電流を流して、実際に電源供給停止が開始されるまでに、電源部４の特性や負荷側の状態によっては、ディレイが生じる。コイル２１の駆動電流が、図７（ｂ）に示したように、Ｌｏｗ固定のコイル駆動電流であると、コイル２１に有効通電時間（Ｘ）以上の時間電流が流れ、ディレイ期間（Ｙ）分だけ不必要な電流がコイル２１に流れることになる。コイル２１に流れるコイル駆動電流とその時間幅によって、図８に示すように、コイル２１の温度が上昇し、コイル２１の寿命、すなわち、スイッチ部２の寿命が短くなる。また、有効通電時間（Ｘ）は、コイル２１の温度だけでなく、コイル２１近傍の周囲温度によって変動する。
【００４７】
そこで、本実施例の複合装置１は、スイッチ部２内にコイル２１、コイル２１近傍の温度を検出する温度検出部２４及びコイル２１を冷却する冷却部２３を備えているとともに、有効通電時間（Ｘ）のパルス幅を調整する温度テーブルをデータ格納部３６に記憶して、温度検出部２４の検出するコイル２１近傍の温度情報（温度データ）に基づいて温度テーブルを参照してコイル駆動電流を流す通電時間（パルス幅）を制御して、必要最低限のコイル駆動電流をコイル２１に流して、消費電力を削減するとともに、コイル２１を長寿命化させる。
【００４８】
そして、複合装置１は、図２に示すように電源ＯＦＦ制御処理を行う。すなわち、複合装置１は、スイッチ部２がオフ操作されてスイッチ端子２２ｂが開状態になって、サブシステム制御部３４がスイッチ部２のＯＦＦ（オフ）操作を検出すると（ステップＳ１０１）、メインシステム制御部３１がシャットダウン処理を開始し（ステップＳ１０２）、不揮発性メモリ３２に対する画像データ等のデータの書き込み状態の確認（書き込みステータスの確認）を行って、書き込み中でないかチェックする（ステップＳ１０４）。
【００４９】
ステップＳ１０４で、データ書き込み中でないとき（ＹＥＳのとき）には、サブシステム制御部３４は、温度検出部２４からコイル２１近傍の温度データ（温度情報）Ｔを取得し（ステップＳ１０５）、取得した温度データＴに基づいてデータ格納部３６の温度テーブルを参照して、コイル２１に流すコイル駆動電流のパルス幅を決定する（ステップＳ１０７）。
【００５０】
サブシステム制御部３４は、ＲＴＣ３７から現在の時刻情報を取得し（ステップＳ１０７）、決定した上記パルス幅の駆動電流をコイル２１に流して、スイッチ端子２２ａを閉状態とした後に、スイッチ端子２２ａを開状態として、電源部４から各部への電源電力の供給を遮断する（ステップＳ１０８）。
【００５１】
ステップＳ１０４で、データ書き込み中のとき（ＮＯのとき）には、サブシステム制御部３４は、メインシステム制御部３１に対して書き込み中である各モジュールのプロセスに対して書き込み処理終了を要求し（ステップＳ１０９）、書き込み中でないかチェックする（ステップＳ１１０）。
【００５２】
ステップＳ１１０で、書き込み中のとき（ＮＯのとき）には、サブシステム制御部３４は、ステップＳ１０９に戻って書き込み処理終了要求から同様に処理し（ステップＳ１０９、Ｓ１１０）、ステップＳ１１０で、書き込み中でないとき（ＹＥＳのとき）には、ステップＳ１０５に移行して、コイル２１近傍の温度データＴの取得から上記同様に処理する（ステップＳ１０５〜Ｓ１０８）。
【００５３】
次に、複合装置１は、コイル２１の寿命を判定して通知するコイル寿命通知処理を伴う電源ＯＦＦ制御処理を、図３及び図４に示すように実行する。なお、図３及び図４において、図２の電源ＯＦＦ制御処理と同様の処理ステップには、同一のステップナンバーを付与してその説明を簡略化する。すなわち、複合装置１は、サブシステム制御部３４が、スイッチ部２がオフ操作されてスイッチ端子２２ｂがオフされたことを検出すると（ステップＳ１０１）、スイッチ部２の総ＯＦＦ回数をカウントするカウンタのカウント値をカウントアップし（ステップＳ２０１）、スイッチ部２の総ＯＦＦ回数が予め設定されている閾値回数Ｎ以上であるかチェックする（ステップＳ２０２）。
【００５４】
すなわち、コイル２１が寿命に達するまで駆動電流を流すことのできる閾値（許容総通電時間）を設定し、その閾値を、１回のスイッチ部２のＯＦＦ操作でコイル２１に流すコイル駆動電流のパルス幅の期間で割ることによって、コイル２１が寿命に達するまでにオフ操作することのできる総ＯＦＦ回数（Ａ）を算出することができる。
【００５５】
そして、サブシステム制御部３４は、スイッチ部２が複合装置１に装着されてから現在までの日数とスイッチ部２のＯＦＦ操作の総ＯＦＦ回数（Ｂ）を求め、１日当りにスイッチ部２がＯＦＦされる平均ＯＦＦ回数（Ｃ）を算出して、コイル２１の寿命日数（Ａ−Ｂ）／Ｃ日）を算出する。そして、サブシステム制御部３４は、総ＯＦＦ回数（Ａ）、１日当りの平均ＯＦＦ回数（Ｃ）及びコイル２１の寿命日数を、データ格納部３６に格納する。なお、複合装置１は、操作部６の操作によって、総ＯＦＦ回数（Ｘ）、１日当りの平均ＯＦＦ回数（Ｃ）、コイル２１の寿命日数を操作部２の表示部に表示して、参照を可能とし、また、ネットワークＩ／Ｆ３３を介して、ネットワークに接続されているホストコンピュータからの操作によっても参照することができる。
【００５６】
そして、ステップＳ２０２で、スイッチ部の総ＯＦＦ回数が閾値回数Ｎに達していないとき（ＮＯのとき）には、サブシステム制御部３４は、シャットダウン処理を開始して（ステップＳ１０２）、不揮発性メモリ３２へのデータの書き込み状態を確認し（ステップＳ１０３）、データ書き込み中でないかチェックする（ステップＳ１０４）。
【００５７】
ステップＳ１０４で、データ書き込み中でないとき（ＹＥＳのとき）には、図４に示すように、サブシステム制御部３４は、温度検出部２４からコイル２１近傍の温度データＴを取得し（ステップＳ１０５）、取得した温度データＴに基づいてデータ格納部３６の温度テーブルを参照して、コイル２１に流す駆動電流のパルス幅を決定する（ステップＳ１０７）。
【００５８】
サブシステム制御部３４は、駆動電流のパルス幅を決定すると、ＲＴＣ３７から現在の時刻情報を取得して、前回オフされた時刻と現在の時刻を比較して、予め設定されている電源ＯＦＦ猶予時間ｔが経過するのを待つ（ステップＳ２０４）。サブシステム制御部３４は、電源ＯＦＦ猶予時間ｔが経過すると、ＲＴＣ３７から現在の時刻情報を取得して（ステップＳ１０７）、今回のオフ時刻をデータ格納部３６に記憶するとともに、決定した上記パルス幅の駆動電流をコイル２１に流して、スイッチ端子２２ａを閉状態とした後に、スイッチ端子２２ａを開状態として、電源部４から各部への電源電力の供給を遮断する（ステップＳ１０８）。
【００５９】
ステップＳ１０４で、データ書き込み中のとき（ＮＯのとき）には、サブシステム制御部３４は、メインシステム制御部３１に対して書き込み中である各モジュールのプロセスに対して書き込み処理終了を要求し（ステップＳ１０９）、書き込み中でないかチェックする（ステップＳ１１０）。
【００６０】
さらに、複合装置１は、コイル２１の寿命判定及び冷却ファン２３の駆動制御を伴う電源ＯＦＦ制御処理を、図５及び図６に示すように実行する。なお、図５及び図６において、図２及び図３と図４の電源ＯＦＦ制御処理と同様の処理ステップには、同一のステップナンバーを付与してその説明を簡略化する。すなわち、複合装置１は、サブシステム制御部３４が、スイッチ部２がオフ操作されてスイッチ端子２２ｂがオフされたことを検出すると（ステップＳ１０１）、スイッチ部２の総ＯＦＦ回数をカウントするカウンタのカウント値をカウントアップし（ステップＳ２０１）、スイッチ部２の総ＯＦＦ回数が予め設定されている閾値回数Ｎ以上であるかチェックする（ステップＳ２０２）。
【００６１】
ステップＳ２０２で、スイッチ部２の総ＯＦＦ回数が閾値回数Ｎに達していないとき（ＮＯのとき）には、サブシステム制御部３４は、シャットダウン処理を開始して（ステップＳ１０２）、不揮発性メモリ３２へのデータの書き込み状態を確認し（ステップＳ１０３）、書き込み中でないかチェックする（ステップＳ１０４）。
【００６２】
ステップＳ２０２で、スイッチ部２の総ＯＦＦ回数が閾値回数Ｎ以上であると、サブシステム制御部３４は、コイル２１の寿命時期に達してスイッチ部２の交換時期である旨の表示情報を操作部６の表示部へ表示し（ステップＳ２０３）、ステップＳ１０２に移行して、シャットダウン処理を開始して（ステップＳ１０２）、不揮発性メモリ３２へのデータの書き込み状態を確認して（ステップＳ１０３）、書き込み中でないかチェックする（ステップＳ１０４）。
【００６３】
ステップＳ１０４で、書き込み中でないとき（ＹＥＳのとき）には、図４に示すように、サブシステム制御部３４は、温度検出部２４からコイル２１近傍の温度データＴを取得し（ステップＳ１０５）、取得した温度データＴに基づいてデータ格納部３６の温度テーブルを参照して、コイル２１に流す駆動電流のパルス幅を決定する（ステップＳ１０７）。
【００６４】
サブシステム制御部３４は、駆動電流のパルス幅を決定すると、ＲＴＣ３７から現在の時刻情報を取得して、前回のオフ操作時刻をデータ格納部３６から取得して、前回オフされた時刻と現在の時刻を比較して、予め設定されている電源ＯＦＦ猶予時間ｔが経過するのを待つ（ステップＳ２０４）。サブシステム制御部３４は、電源ＯＦＦ猶予時間ｔが経過すると、ＲＴＣ３７から現在の時刻情報を取得し（ステップＳ１０７）、データ格納部３６に今回オフ時刻を記憶するとともに、決定した上記パルス幅の駆動電流をコイル２１に流して、スイッチ端子２２ａを閉状態とした後に、スイッチ端子２２ａを開状態として、電源部４から各部への電源電力の供給を遮断する（ステップＳ１０８）。
【００６５】
ステップＳ１０４で、データ書き込み中のとき（ＮＯのとき）には、サブシステム制御部３４は、メインシステム制御部３１に対して書き込み中である各モジュールのプロセスに対して書き込み処理終了を要求し（ステップＳ１０９）、書き込み中でないかチェックする（ステップＳ１１０）。
【００６６】
このように、本実施例の複合装置１は、コイル２１への駆動電流の通電停止／通電によって、商用電源電力から各種電源電力を生成する電源部４への該商用電源電力の供給／供給遮断を行う場合に、コイル２１近傍の温度を温度検出部２４で検出して、スイッチ部２の操作によって商用電源電力のオフ指示があると、検出されたコイル２１近傍の温度に基づいてコイル２１への通電時間（コイル駆動電流のパルス幅）を求めて、所定のシャットダウン時間経過後に、コイル２１に該通電時間だけ駆動電流を流して電力供給遮断状態へ移行している。
【００６７】
したがって、スイッチ部２がオフ操作されたときに、処理中の画像データやその他のデータ等の不揮発性メモリ３２への記憶等の電源電力の供給が遮断されても処理中の画像データやその他のデータが消失することや不揮発性メモリ３２の損傷を防止するシャットダウン処理を適切に実行することができるとともに、図７（c）に示すように、コイル２１への通電時間を適切化して、コイル２１の温度が不要に上昇することを抑制してコイル２１の寿命を延ばすことができる。
【００６８】
また、本実施例の複合装置１は、スイッチ部２を電力供給遮断状態とするためにコイル２１へ通電した総通電時間をデータ格納部３６に記憶し、サブシステム制御部３４が、スイッチ部２のオフ操作を検出すると、データ格納部３６の総通電時間に基づいてコイル２１への通電時間を求めて、シャットダウン時間経過後に、コイル２１に該通電時間だけ駆動電流を流して、スイッチ部２を電力供給遮断状態へ移行させるとともに、コイル２１への該通電時間をデータ格納部３６の該総通電時間に加算している。
【００６９】
したがって、コイル２１への総通電時間に基づいて該コイル２１への通電時間を決定して通電することができ、コイル２１への通電時間をより一層適切化して、コイル２１の温度が不要に上昇することをより一層抑制してコイル２１の寿命を延ばすことができる。
【００７０】
さらに、本実施例の複合装置１は、サブシステム制御部３４が、スイッチ部２のオフ操作時刻をＲＴＣ３７から取得してデータ格納部３６に記憶し、スイッチ部２のオフ操作を検出すると、データ格納部３６のオフ操作時刻に基づいて前回オフ操作された時刻からの経過時間を求めて、該経過時間が所定の閾値時間以上経過していることを条件として、コイル２１にコイル駆動電流を流している。
【００７１】
したがって、コイル２１への通電が断続的に発生して、コイル２１に流れるコイル駆動電流による温度上昇が高くなることを適切に防止し、コイル２１の寿命をより一層適切に延ばすことができる。
【００７２】
また、本実施例の複合装置１は、サブシステム制御部３４が、温度検出部２４の検出するコイル２１近傍の温度が所定の冷却開始温度以上になると、冷却部２３を駆動させてコイル２１に冷風を送っている。
【００７３】
したがって、コイル２１に通電する際の際の温度上昇を抑制することができ、コイル２１の長寿をより一層延ばすことができる。
【００７４】
さらに、本実施例の複合装置１は、予め設定されているコイル２１の許容総通電時間をデータ格納部３６に記憶し、サブシステム制御部３４が、コイル２１に通電した総通電時間をデータ格納部３６に記憶して、該総通電時間と該許容層通電時間に基づいてコイル２１の寿命を判定して、該判定結果を操作部６のディスプレイへの表示やネットワークＩ／Ｆ３３を介してホストコンピュータへの通知等の通知処理を行う。
【００７５】
したがって、スイッチ部２の交換時期をユーザに適切に通知することができ、複合装置１の正常稼動を適切に確保することができる。
【００７６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００７７】
本発明は、コイルによってスイッチ端子のオン／オフを制御してシャットダウン期間を設ける電源制御装置、該電源制御装置を搭載する画像形成装置、電源制御方法、電源制御プログラム及び記録媒体に利用することができる。
【符号の説明】
【００７８】
１  複合装置
２  スイッチ部
３  コントローラ制御部
４  電源部
５  エンジン制御部
６  操作部
２１  コイル
２２ａ、２２ｂ  スイッチ端子
２３  冷却部
２４  温度検出部
３１  メインシステム制御部
３２  不揮発性メモリ
３３  ネットワークＩ／Ｆ
３４  サブシステム制御部
３５  コントローラ電源生成部
３６  データ格納部
３７  ＲＴＣ
３８  駆動部
【先行技術文献】
【特許文献】
【００７９】
【特許文献１】特開平１１−３３８３２１号公報
【図１】
0005803239.tif 000002
【図２】
0005803239.tif 000003
【図３】
0005803239.tif 000004
【図４】
0005803239.tif 000005
【図５】
0005803239.tif 000006
【図６】
0005803239.tif 000007
【図７】
0005803239.tif 000008
【図８】
0005803239.tif 000009